(57)【要約】【課題】撮影した画像と該画像の撮影地に関係する音楽とを容易に対応付けられ、撮影画像の再生時には対応付けられた音楽が同時に再生できるようにし、撮影当時の思い出を感慨深く追想することができ、鑑賞効果を高めることの可能な画像記録再生システム及び電子アルバム作成システムを提供すること。【解決手段】画像撮影を行った地点に関する情報である場所情報データと撮影した画像である画像データとを関連付けする撮影地点関連付け手段８と、上記画像データと関連付けられた場所情報を用いて、上記画像撮影を行った地点に関連のある楽曲データを、楽曲データが格納されているデータベース２６から検索する手段２４と、上記検索する手段２４により検索された楽曲データと上記画像データとを同時に再生する再生手段４０と、からなることを特徴とする。【選択図】      図１
2006135895.tif 000002
【特許請求の範囲】
【請求項１】
画像撮影を行った地点に関する情報である場所情報データと撮影した画像である画像データとを関連付けする撮影地点関連付け手段と、
上記画像データと関連付けられた場所情報を用いて、上記画像撮影を行った地点に関連のある楽曲データを、楽曲データが格納されているデータベースから検索する手段と、
上記検索する手段により検索された楽曲データと上記画像データとを同時に再生する再生手段と、
からなることを特徴とする画像記録再生システム。
【請求項２】
上記検索する手段は、上記画像データの画像分析を更に行い、上記楽曲データの検索のときに、上記画像分析の分析結果を考慮して楽曲データを検索することを特徴とする請求項１に記載の画像記録再生システム。
【請求項３】
上記データベースに格納されている楽曲データは、上記場所情報データに関連する作曲家の作品である楽曲データ、上記場所情報データに関連する歌手の歌である楽曲データ及び上記場所情報データに関連する曲名を持つ楽曲の楽曲データの少なくとも一つを含むことを特徴とする請求項１に記載の画像記録再生システム。
【請求項４】
全地球測位システム機能を更に有し、該全地球測位システム機能及び上記撮影地点関連付け手段はカメラ部の構成要素であり、上記場所情報データは、上記全地球測位システムにより取得されることを特徴とする請求項１に記載の画像記録再生システム。
【請求項５】
上記画像撮影のときには、上記画像データに上記全地球測位システム機能により取得した上記場所情報データを付加するデータ化手段を更に有することを特徴とする請求項４に記載の画像記録再生システム。
【請求項６】
上記データベースは、１つの場所情報データに対して、該場所情報データに対応する楽曲データを複数有し、上記画像データと対応付けされる楽曲データを上記複数の楽曲データ中から選択することができる選択手段を有することを特徴とする請求項１に記載の画像記録再生システム。
【請求項７】
上記選択手段による楽曲データ選択のときに、選択が為されない場合には、上記複数の楽曲データのそれぞれに対して同一の画像データを対応付けし、複数のバージョンの電子アルバムを作成することを特徴とする請求項６に記載の画像記録再生システム。
【請求項８】
撮影場所の位置を入力する場所情報入力手段と、
撮影した画像データと上記場所情報入力手段による場所情報データとを関連付けするデータ関連付け手段と、
楽曲データが格納されているデータベースと、
上記場所情報データと関連深い楽曲データを上記データベースから検索する検索手段と、
上記検索手段により検索された楽曲データと上記画像データとを同時に再生する再生手段とを有する画像記録再生システム。
【請求項９】
上記画像データの画像分析を行い、該画像分析の分析結果に従って該画像データに対応付けする楽曲データを選択する選択手段を更に有することを特徴とする請求項８に記載の画像記録再生システム。
【請求項１０】
上記データベースに格納されている楽曲データは、上記場所情報データに関連する作曲家の作品である楽曲データ、上記場所情報データに関連する歌手の歌である楽曲データ及び上記場所情報データに関連する曲名を持つ楽曲の楽曲データの少なくとも一つを含むことを特徴とする請求項８記載の画像記録再生システム。
【請求項１１】
上記検索手段による検索で複数の楽曲データを候補として取得し、上記画像データに対応付けする楽曲データを上記複数の候補の楽曲データの中から選択することができることを特徴とする請求項８から１０のうちいずれか１つに記載の画像記録再生システム。
【請求項１２】
上記候補の楽曲データの中からの楽曲データ選択のときに、選択が為されない場合には、同一の画像データに対して複数の楽曲データを対応付けることにより、複数のバージョンの電子アルバムを作成することを特徴とする請求項１１に記載の画像記録再生システム。
【請求項１３】
全地球測位システム機能と、
上記全地球測位システム機能からの場所情報データを、上記画像データに付加するデータ関連付け手段とを有することを特徴とする請求項８から１０のうちいずれか１つに記載の画像記録再生システム。
【請求項１４】
画像撮影を行った場所に関する情報である場所情報データが関連付けされた撮影画像データが記録されている記録手段と、
上記記録手段に記録された撮影画像データより上記場所情報データを抽出し、その抽出した場所情報データに基づいて、上記画像撮影を行った場所と関連を有する音楽の楽曲データを、楽曲データが格納されているデータベース中から検索する検索手段と、
上記検索手段により検索された楽曲データと、上記撮影画像データとを対応付けして上記記録手段または記録メディアに記録する制御手段と、
を具備することを特徴とする電子アルバム作成システム。
【請求項１５】
画像撮影を行った場所に関する情報である撮影場所データが関連付けされた撮影画像データから上記撮影場所データを抽出し、その抽出した撮影場所データに基づいて上記画像撮影を行った場所に対応する地名を抽出する地名抽出部と、
上記地名抽出部で抽出した地名により、上記画像撮影を行った場所と関連を有する音楽の楽曲データをサーバに問い合わせ、上記サーバより楽曲データを受信する送受信部と、
上記送受信部が受信した楽曲データと上記撮影画像データとを対応付けし、記録手段に記録するアルバム化部と、
からなる送受信手段を有することを特徴とする電子アルバム作成システム。
【請求項１６】
画像撮影を行った地点に関する情報である場所情報データと撮影した画像である画像データとを関連付けする撮影地点関連付け手段と、
上記画像データと関連付けられた場所情報を用いて、上記画像撮影を行った地点に関連のある楽曲データを、楽曲データが格納されているデータベースから検索する手段と、
上記検索する手段により検索された楽曲データと上記画像データとを対応付けする制御手段と、
を有することを特徴とする電子アルバム作成システム。
【発明の詳細な説明】
【技術分野】
【０００１】
本発明は、ユーザーが撮影した画像を、音楽と組み合わせて記録または再生する場合に好適な画像記録再生システム及び電子アルバム作成システムに関する。
【背景技術】
【０００２】
デジタルカメラ普及以前の画像撮影においては、単に静止画を紙にプリントするにとどまっていた。しかしながら、近年のデジタルカメラの普及により、撮影画像としてデジタルデータが一般的になりつつある。これにより、ＣＤやＭＤ等により先にデジタル化が進んでいた音楽と、デジタルデータである撮影画像とを組み合わせて再生することが可能となった。さらに、再生装置としては、ＤＶＤプレーヤーやＨＤプレーヤー等が現在普及しつつあるので、マルチメディア再生の基盤はすでに整っている状況であると言える。
【０００３】
しかしながら、撮影画像とそれに対応する最適な音楽とを組み合わせることにより、画像再生時にＢＧＭを付加した再生をするには、一般のユーザーが独力で行うには技術的に困難であった。
【０００４】
例えば、特許文献１には、撮影画像データとその撮影場所を示す地図画像データとを対応付けて出力することによりどこで撮影されたものかを容易に確認することができる技術が開示されている。
【０００５】
また、特許文献２には、音楽と関連付けられている地図上の施設、地点、地域等を容易に検索することができるナビゲーション装置の技術が開示されている。この技術によれば、音楽と関連付けられている地図上の地域等を検索することが容易になる。
【特許文献１】特開平９−１３９９０６号公報
【特許文献２】特開２００２−３１１９８６号公報
【発明の開示】
【発明が解決しようとする課題】
【０００６】
しかしながら、上記特許文献１に開示された技術では、ユーザーの撮影した画像データとその撮影場所を示す地図画像データとを組み合わせて出力して、どこで撮影されたものかを容易に確認できるようになっているが、撮影した画像の鑑賞に関しては何ら工夫されていない。
【０００７】
また、上記特許文献２に開示された技術は、音楽と関連付けられている地図上の地域等を容易に検索することができるナビゲーション装置であり、音楽と地図情報との関連付けを行ってはいるが、さらに画像記録再生装置との組み合わせによる画像鑑賞にまでは踏み込んでいない。
【０００８】
本発明は、上記事情に鑑みてなされたもので、撮影した画像と該画像の撮影地に関係する音楽とを容易に対応付けられ、撮影画像の再生時には対応付けられた音楽が同時に再生できるようにし、撮影当時の思い出を感慨深く追想することができ、鑑賞効果を高めることの可能な画像記録再生システム及び電子アルバム作成システムを提供することを目的とする。
【課題を解決するための手段】
【０００９】
上記の目的を達成するために、本発明の第１の態様による画像記録再生装置は、画像撮影を行った地点に関する情報である場所情報データと撮影した画像である画像データとを関連付けする撮影地点関連付け手段と、上記画像データと関連付けられた場所情報を用いて、上記画像撮影を行った地点に関連のある楽曲データを、楽曲データが格納されているデータベースから検索する手段と、上記検索する手段により検索された楽曲データと上記画像データとを同時に再生する再生手段と、からなることを特徴とする。
【００１０】
上記の目的を達成するために、本発明の第２の態様による画像記録再生システムは、撮影場所の位置を入力する場所情報入力手段と、撮影した画像データと上記場所情報入力手段による場所情報データとを関連付けするデータ関連付け手段と、楽曲データが格納されているデータベースと、上記場所情報データと関連深い楽曲データを上記データベースから検索する検索手段と、上記検索手段により検索された楽曲データと上記画像データとを同時に再生する再生手段とを有することを特徴とする。
【００１１】
上記の目的を達成するために、本発明の第３の態様による電子アルバム作成システムは、画像撮影を行った場所に関する情報である場所情報データが関連付けされた撮影画像データが記録されている記録手段と、上記記録手段に記録された撮影画像データより上記場所情報データを抽出し、その抽出した場所情報データに基づいて、上記画像撮影を行った場所と関連を有する音楽の楽曲データを、楽曲データが格納されているデータベース中から検索する検索手段と、上記検索手段により検索された楽曲データと、上記撮影画像データとを対応付けして上記記録手段または記録メディアに記録する制御手段と、を具備することを特徴とする。
【００１２】
上記の目的を達成するために、本発明の第４の態様による電子アルバム作成システムは、画像撮影を行った場所に関する情報である撮影場所データが関連付けされた撮影画像データから上記撮影場所データを抽出し、その抽出した撮影場所データに基づいて上記画像撮影を行った場所に対応する地名を抽出する地名抽出部と、上記地名抽出部で抽出した地名により、上記画像撮影を行った場所と関連を有する音楽の楽曲データをサーバに問い合わせ、上記サーバより楽曲データを受信する送受信部と、上記送受信部が受信した楽曲データと上記撮影画像データとを対応付けし、記録手段に記録するアルバム化部と、からなる送受信手段を有することを特徴とする。
【００１３】
上記の目的を達成するために、本発明の第５の態様による電子アルバム作成システムは、画像撮影を行った地点に関する情報である場所情報データと撮影した画像である画像データとを関連付けする撮影地点関連付け手段と、上記画像データと関連付けられた場所情報を用いて、上記画像撮影を行った地点に関連のある楽曲データを、楽曲データが格納されているデータベースから検索する手段と、上記検索する手段により検索された楽曲データと上記画像データとを対応付けする制御手段と、を有することを特徴とする。
【発明の効果】
【００１４】
本発明によれば、撮影した画像と該画像の撮影地に関係する音楽とを容易に対応付けられ、撮影画像の再生時には対応付けられた音楽が同時に再生できるようになり、撮影当時の思い出を感慨深く追想することができ、鑑賞効果を高めることの可能な画像記録再生システム及び電子アルバム作成システムを提供することができる。
【発明を実施するための最良の形態】
【００１５】
現在検索エンジンの技術は既に発達しており、インターネットでは地名等をキーワードとして、そのキーワードを含む楽曲を検索することは容易である。また、インターネットを用いなくとも、同様のシステムを携帯電話等の通信技術によって達成する事は可能である。
【００１６】
本発明の発明者は、この技術を効果的に利用することにより、例えばユーザーは旅行等で撮影した画像を記録した記録手段をインターネット等に接続するだけで、画像に対して最適な音楽を組み合わせた再生が可能となるのではないかとの知見を得た。
【００１７】
本発明では、この環境を利用し、旅行等で特定の地域に行った場合は、撮影画像に対してその地域に関する音楽を組み合わせ、画像再生時にＢＧＭとして上記音楽が流れるようにすることで、旅行当時を思い出し、かつ雰囲気豊かな鑑賞を楽しむ事ができるようにする。
【００１８】
例えば、ウィーンではシュトラウスのワルツ、パリではシャンソン、マドリッドではフラメンコというように、その地域に関連する音楽が必ず存在する。音楽によって人間の感情を盛り上げることは、例えば観光バスやレストラン等でもよく行われている。また、種々の演劇、映画又はオペラに代表されるように、映像と音楽とが結びつけられると、聴覚刺激と視覚刺激が効果的に組み合わさり、鑑賞者に強いインパクトを与えると言える。
【００１９】
［第１実施形態］
以下、図面を参照して本発明の第１実施形態に係る画像記録再生システム及び電子アルバム作成システムを説明する。
【００２０】
図１は、本発明の第１実施形態に係る画像記録再生システム及び電子アルバム作成システムの構成を示す図である。なお、本実施形態においては、画像記録再生装置として、例えばデジタルカメラを想定している。以下、図１を用いて本発明の第１実施形態に係る画像記録再生システム及び電子アルバム作成システムの構成について説明する。
【００２１】
同図における破線部内は、画像記録再生装置（上述のように、本実施形態においてはデジタルカメラを想定している為、以下デジタルカメラと称す）２を表す。まず、デジタルカメラ２の構成について説明する。
【００２２】
デジタルカメラ２には、その動作制御を行う制御部１が設けられている。この制御部１には、操作手段１ａが接続され、ユーザーによる該操作手段１ａの操作状態に応じて、デジタルカメラ２の動作制御がなされる。
【００２３】
また、制御部１の制御により撮影手段４が画像の撮影を行う。この撮影手段４により撮影された画像データは、同じくデジタルカメラ２内に設けられたデータ関連付け手段８によって、場所情報データと関連付けられて、記録部材としての記録手段６に記録される。ここで、場所情報データとは、画像の撮影場所に関する情報であり、場所情報入力手段１０に設けられたスイッチ１０ａを、ユーザーが操作することにより入力する。なお、この入力のときには、表示部１２を利用しつつ操作を行っても勿論よい。また、この場所情報入力手段１０への入力は、上述のようなユーザーによる手動入力ではなく、ＧＰＳ（全地球測位システム）情報１４をアンテナ１６ａを介して受信回路１６で受信し、これを上記場所情報入力手段１０に入力しても勿論よい。
【００２４】
上述の構成からなるデジタルカメラ２と、インターネット２０とを接続する手段として、本画像記録再生システム及び電子アルバム作成システムは、送受信手段１８を含む。該送受信手段１８は、ＵＳＢ等のコネクタまたは無線による通信手段を有し、撮影場所に関する場所情報データと関連付けられた画像データを、インターネット２０を介して基地局２２へ送信することができる。なお、上記送受信手段１８としては、たとえばパーソナルコンピューターを用いても良い。
【００２５】
上記基地局２２には、地名情報抽出手段２４が設けられていて、上述のように送受信手段１８によってデジタルカメラ２から送信されてきた場所情報データを用いて、場所情報データに対応する楽曲データを、基地局２２に設けられたデータベース２６から選択する。なお、この楽曲データ選択に際しては、上述の場所情報データに関する地名の入った題名を持つ曲目の楽曲データを選択したり、該地名の土地ゆかりの作曲家の作品である楽曲データ又は歌手の歌である楽曲データ等を候補とする。
【００２６】
このようにして選択されたデジタル音声信号である楽曲データは、基地局２２内に設けられた対応付け手段２８により、送信されてきた画像データと対応付けされて、基地局２２内に設けられた記録手段３０に記録される。
【００２７】
また、上述のように楽曲データと対応付けられた画像データは、再びインターネット２０及び送受信手段１８を介して、図１において一点鎖線に囲まれた電子アルバム部３２内に設けられた電子アルバムメモリ部３４に記録することができる。
【００２８】
なお、このように電子アルバムメモリ部３４に楽曲データを対応付けした画像データを記録する方法としては、全てのデータをインターネット２０を介して行うのではなく、その一部のみをインターネット２０を介して行う方法がある。たとえば、インターネット２０を介さずにデジタルカメラ２の制御部１から電子アルバム部３２へ直接送信し、音声データのみをインターネット２０経由で送信し、対応付けして記録するシステムが可能である。つまり、検索された楽曲データのみをインターネット２０を介して、電子アルバム部３２内のビュワー（不図示）と電子アルバムメモリ部３４とに送信し、画像データはデジタルカメラ２から直接、電子アルバム部３２へと入力するシステムである。画像データの容量が大きいときには、このようにインターネット２０を介さずに電子アルバムメモリ部３４に記録するシステムを用いたほうがよい。なお、画像データの容量が大きくない場合であっても、そのような画像データをインターネット２０を介さずに電子アルバムメモリ部３４に記録するシステムを用いても勿論よい。
【００２９】
上記電子アルバム部３２は、本実施形態のようにデジタルカメラ２とは別体の装置としてもよいし、両者を一体型の装置としても勿論良い。
【００３０】
なお、電子アルバム部３２に、画像再生部３６と音声再生部３８として、たとえば大型ディスプレイ及び大型スピーカーを具備させることによって、高画質・高音質を楽しむことができる。このような構成を採りたい場合は、デジタルカメラ２と電子アルバム部３２とを別体にした方がよい。別体にする場合は、デジタルカメラ２と電子アルバム部３２とを、たとえばコネクタを用いて繋げることができる構成を採り、さらに電子アルバム操作手段４０ａをユーザーが操作し、その操作状態に応じて電子アルバム制御手段４０が電子アルバムメモリ部３４内のデータを選択したり、再生方法を切り替えたり等の制御をする。
【００３１】
以下、デジタルカメラ２の、撮影動作から画像データと場所情報データとの関連付けまでの動作制御を、図２に示すフローチャートを用いて説明する。
【００３２】
まず、Ｓ１は撮影を行うステップである。Ｓ１では、ユーザーによるスイッチ１ａの操作状態を制御部１が判断して制御を行い、撮影手段４が撮影を行う。続くＳ２において、場所情報入力手段１０への入力を行う。これは、場所情報入力操作手段１０ａによりユーザーが手動入力しても、ＧＰＳ（全地球測位システム）情報１４を、デジタルカメラ２に設けられたアンテナ１６ａを介して受信回路１６で受信し、場所情報入力手段１０にすることによる入力でもよい。このようにして、Ｓ２において撮影場所の場所情報を入力した後はＳ３に進む。
【００３３】
Ｓ３は、画像データと場所情報データとを関連付けするステップである。このＳ３では、制御部１の制御により、撮影した各々の画像データとその撮影場所を示す場所情報データとの関連付けが行われる。
【００３４】
図３は、上述のように場所情報データとの関連付けがなされた画像データと、楽曲データとを対応付けする動作制御を示すフローチャートである。なお、図３のフローチャートは、基地局２２内においての動作制御を示している。したがって、図３のフローチャートにおける動作制御を行う前に、場所情報データと関連付けされた画像データは、上述したように送受信手段１８及びインターネット２０を介して、基地局２２へ送信されていることを前提とする。以下、図３のフローチャートを用いて、場所情報データとの関連付けがなされた画像データと、楽曲データとを対応付けする動作制御を説明する。
【００３５】
まず、Ｓ５において、地名情報抽出手段２４が、画像データと関連付けられた場所情報データを参照して、該場所情報データと対応する音声信号である楽曲データを、データベース２６から検索して選択する。
【００３６】
続くＳ６において、Ｓ５で選択された楽曲データの候補楽曲の曲名リストを作成し、インターネット２０を介して、送受信手段１８へ送信する。この曲名リストは、その土地にちなんだ名前を持つ曲、作曲家の作品、歌手の歌の曲目等を文字データとして送るため、通信に要するデータ容量も少なくすむ。なお、このリストによる実際の選択画面は、例えば図４に示すような画面表示となる。これにより、ユーザーは即座に、送受信手段（例えばパーソナルコンピューター）１８の画面上で、好きな楽曲を選択することができる。
【００３７】
次にＳ７では、ユーザーは送受信手段（例えばパーソナルコンピューター）１８の操作手段１８ａ（例えばキーボードやマウス等）を操作して、Ｓ６で表示された対応付けの対象となる画像サンプルの中から、どの画像をどの曲に対応させるかを選択する。ここでは、図４に示すように複数の画像が選択可能であり、選択された画像の周囲には強調するための枠を付ける等の処理を行う。複数の画像を選択した場合は、同じ曲が流れる中でそれら複数の画像が表示されるようになる。なお、楽曲リストは、候補楽曲の具体的な曲名を示すだけでなく、曲調を暗示する表記を同時に示しても勿論よい。また、曲調を暗示する表記だけを示しても勿論よい。
【００３８】
Ｓ７において、上述に示すような選択操作がなされた場合はＳ１２へ進む。Ｓ１２では、Ｓ７での選択結果に基づいて、基地局２２がインターネット２０を介して送受信手段１８へ楽曲データを送信する。さらに、送受信手段１８は、電子アルバム部３２内の電子アルバムメモリ部３４へ、上記楽曲データを送信する。なお、このＳ７では、楽曲データの送信先として、上述のように電子アルバム部３２内の電子アルバムメモリ部３４ではなく、基地局２２内の記録手段３０に対して送信してもよい。
【００３９】
また、Ｓ７では、画像データと楽曲データとの対応付けも行うが、送受信手段１８としてパーソナルコンピューターを用いる場合は、ユーザーの指示により楽曲データと画像データとを対応付ける動作制御は該パーソナルコンピューターで行うことができる。一方、送受信手段１８として、パーソナルコンピューターを用いない構成を採る場合は、基地局２２内の対応付け手段２８が、画像データと楽曲データとを対応付ける動作制御を行うことになる。なお、送受信手段１８としてパーソナルコンピューターを用いる場合であっても、対応付け手段２８で対応付けを行っても勿論よい。
【００４０】
上述のＳ７において所定の選択操作が行われなかった場合は、Ｓ８に進む。ここで、もし通信による課金にこだわらなくてよいのであれば、Ｓ８をＹ分岐してＳ９に進んで候補の全楽曲を選択する。そして、上述のＳ１２へ進む。これにより、図５に示すように、同じ画像データに対して異なる楽曲データを付加した、さまざまなバージョンの電子アルバムが、電子アルバム部３２内に作成されることになる。なお、電子アルバムの作成場所としては、基地局２２内の記録手段３０を用いても勿論よい。近年のメディアの大容量化が、こうした複数バージョンの電子アルバムの記録を可能にしている。
【００４１】
また、このように候補の全楽曲を選択してしまうのは、通信時間や通信費用やライセンス料の関係で好ましくないとユーザーが判断した場合には、ユーザーが操作手段１８ａを操作することにより、Ｓ８をＳ１０に分岐して、画像データを参照して楽曲選択を行うステップへ進む（Ｓ８をＮ分岐してＳ１０へ進む）。
【００４２】
Ｓ１０では、基地局２２の対応付け手段２８が画像データを参照する。そして、Ｓ１１において、基地局２２の対応付け手段２８は画像データの被写体を分析し、該画像データに対応した楽曲データをデータベース２６から選択する。
【００４３】
このような画像データの分析に関しては、近年人物認証の技術が広く研究され、画像データから人物を特定する技術が発達している。本発明では、この人物認証技術を応用して画像の中から人間の顔部分を特定し、被写体である人物の数を特定できるアルゴリズムを利用する。なお、この人物認証による人数特定の際に、デジタルカメラ２から送られる画像データに付加されている、撮影時の情報（被写体距離等の情報）を併用して判定を行っても勿論よい。このような技術を利用して行う楽曲データ選択のフローチャートを図６に示す。なお、本実施形態においては、場所データ以外のデータも利用して、画像データに対応する最適な楽曲データを画像データに対応付けする。以下、図６のフローチャートを用いて説明する。
【００４４】
まず、Ｓ２０において、デジタルカメラ２から送信されてきた複数の画像データにおいて、同じ場所で撮影された画像データが複数存在するか否かを、基地局２２内の対応付け手段２８が判断する。ここで、複数存在すると判断された場合は、Ｙ分岐してＳ３０へ進む。
【００４５】
Ｓ３０では、対応付け手段２８が、同じ場所で撮影された画像データをひとまとめにする。このステップにおいて、同じ場所で撮影された画像データが複数ある場合に、それらの画像をひとまとめにすることで、一曲あたり数分は要するであろう楽曲データに、相互に関連のある複数の画像を対応させることができる。つまり、撮影画像の鑑賞は一枚当たり、数秒程度で十分であることを考慮したステップであると言える。
【００４６】
つづくＳ３１において、Ｓ３０において撮影場所によりグループ化された画像の中で、中心となる人物が複数人存在するか否かを、対応付け手段２８が判定する。ここで、複数であると判断された場合は、Ｙ分岐してＳ３５へ進む。
【００４７】
Ｓ３５においては、風景写真を含むか否かを、対応付け手段２８が、さらに判断する。ここで、風景写真を含むと判断された場合は、旅行にて撮影された写真であると判断し、Ｓ３５をＹ分岐してＳ３６へ進む。
【００４８】
続くＳ３６では、カップルの写真であるか否かの判断を、対応付け手段２８が行う。ここで、カップルでの写真であると判断される場合は、カップルでの旅行であると判断され、Ｓ４３へ進む。したがって、Ｓ４３では、撮影場所を考慮したロマンチックな曲調の楽曲データを、対応付け手段２８が選択する。
【００４９】
また、上述のＳ３６においてカップルでないと判断された場合は、通常の旅行であると判断し、Ｓ４２へ進む。したがって、Ｓ４２では、地名を考慮した流行曲である楽曲データを、対応付け手段２８が選択する。このように、風景写真を含み、且つカップルでの写真ではない場合、通常の団体旅行であると判断できるので、対応付ける楽曲データとしては、ロマンチックな曲ではなく、明るく軽快で一般的に知られた流行曲を選択することとした。
【００５０】
また、上述のＳ３５において、風景写真を含まないと判断された場合は、Ｓ３８へ進む。Ｓ３８では、カップルでの写真であるか否かを対応付け手段２８が判断する。ここで、カップルでの写真であると判断される場合は、旅行ではない単なるデートであると判断し、Ｙ分岐してＳ４０へ進む。したがって、Ｓ４０では、特に地名を考慮せずにロマンチックな曲調の楽曲データを選択する。
【００５１】
一方、Ｓ３８において、カップルでの写真ではないと判断された場合は、Ｓ４１へ進む。このように、風景を含まずカップル写真でもない場合には、宴会での撮影画像であるとして、その時期の流行曲のメドレーを、対応付け手段２８が選択する。
【００５２】
なお、上述のように風景写真の有無で旅行写真であるか否かの判定する以外にも、ユーザーの居住地の情報を基地局のデータベースが有している場合には、撮影時の場所がユーザーの居住地から例えば５０ｋｍ以上離れているか否かの判定を行うことにより、旅行での写真であるか否かを判定しても勿論よい。
【００５３】
また、上述のＳ３１において、Ｓ３０で撮影場所によりグループ化した画像中で、中心となる人物が複数人ではないと、対応付け手段２８により判断された場合には、１人で写っている撮影画像であるとして、Ｎ分岐Ｓ３２へ進む。
【００５４】
Ｓ３２では、風景写真を含むか否かを対応付け手段２８が判断し、風景写真を含む場合はＹ分岐してＳ４５へ進む。Ｓ４５では、特にその撮影を行った土地に関連した曲で、ヒーリング系の音楽を、対応付け手段２８が選択する。
【００５５】
一方、Ｓ３２で風景写真を含まないと、対応付け手段２８が判断した場合は、Ｎ分岐してＳ４６へ進む。Ｓ４６では、個人的なアルバムでの写真であるとして、ヒーリング系の音楽を対応付け手段２８が選択する。
【００５６】
また、上述のＳ２０において、同じ場所で撮影された画像データが複数存在しないと、対応付け手段２８が判断した場合は、Ｎ分岐してＳ２１へ進む。Ｓ２１では、同じ日付に撮影された画像をひとまとめにし、Ｓ２２へ進む。このステップは、同じ日付に撮影された画像が複数ある場合に、それらの画像をひとまとめにすることで、一曲あたり数分は要するであろう音楽の再生に、相互に関連のある複数の画像を対応させる為である。撮影画像の鑑賞は一枚当たり、数秒程度で十分であることを考慮したステップである。
【００５７】
続くＳ２２においては、風景写真を多く含むか否かの判断を対応付け手段２８が判断する。ここで、風景写真を多く含むと判断される場合は、Ｓ２２をＹ分岐してＳ２４に分岐する。Ｓ２４では、撮影場所を考慮した楽曲データを選択できるように、その風景写真を撮影した場所の地名を特定してＳ３１に分岐する。以降、上述したＳ３１以降のステップを辿るが、最終的な楽曲データの選択の際には、Ｓ２４で特定された地名を考慮に入れた楽曲データの選択を行う。
【００５８】
また、上述のＳ２２において、風景写真が多くないと判断された場合には、Ｎ分岐してＳ２３へ進む。Ｓ２３では、被写体の人物がカップルの写真であるか否かを、対応付け手段２８が判断する。ここで、カップルの写真であると判断される場合は、Ｙ分岐してＳ４０へ進む。Ｓ４０においては、ロマンチックな曲調の楽曲データを、対応付け手段２８が選択する。一方、Ｓ２３にて、カップルの写真でないと判断された場合は、個人的な写真であると判断され、Ｎ分岐してＳ４６へ進む。したがって、Ｓ４６においては、ヒーリング効果の高い楽曲データを対応付け手段２８が選択する。
【００５９】
上述のように、撮影画像の画像データに対して適切な楽曲データを、対応付け手段２８が選択したステップ（Ｓ４１，Ｓ４２，Ｓ４３，Ｓ４５，Ｓ４６）を経た後は、Ｓ４５へ進む。このＳ４５では、対応付け手段２８が、複数の画像データをひとまとめにし、その画像データと上述のステップにおいて選択された音楽の楽曲データとを対応付けする。
【００６０】
以上説明したように、本発明の第１実施形態によれば、互いに関連を有する複数の画像に対して一曲の適切な音楽が関連づけられるので、画像再生の際にはＢＧＭとしての音楽を、短くぶつ切りにすることなく自然な流れで鑑賞できる電子アルバムを容易に作成できる。また、画像データに対して選択される音楽の楽曲データは、該画像データにとって最も相応しい音楽の楽曲データであるので、鑑賞効果も高まる。また、本発明を用いて作成した電子アルバムのように、撮影画像の再生時に撮影画像に関連の深い音楽が付加されることにより、撮影当時の思い出を感慨深く追想することができる。
【００６１】
つまり、本実施形態に係る画像記録再生システム及び電子アルバム作成システムにより、従来は旅行等でデジタルカメラにより撮影されたが、鑑賞される機会の少なかった画像データを、鑑賞にふさわしい作品として構成することが容易にできる。しかも、ユーザーは撮影画像１つ１つに音楽を選択するような面倒な作業を行うことなく作成できる。再生にあたっては、ＤＶＤプレーヤーやＨＤプレーヤー等の機能を有効に利用した鑑賞ができる。
【００６２】
なお、選択されたデジタル音声データである楽曲データは、基地局２２に設けられた対応付け手段２８により、撮影された画像データと対応付けされて、基地局２２に設けられた記録手段３０に記録することが可能な構成となっている。したがって、この記録手段３０の内容を再生することにより、インターネット上でも鑑賞することのできるマルチメディア式の電子アルバムを作成することができる。
【００６３】
［第２実施形態］
次に、本発明の第２実施形態に係る画像記録再生システム及び電子アルバム作成システムについて説明する。
【００６４】
本実施形態では、ファイルサイズの大きな画像データ等の、通信回線を通じての送受信にかかる時間および通信料金を最小限に抑える為に、基地局との送受信するデータ量を最小限に抑えるシステム構成とした。以下、図面を用いて本実施形態に係る画像記録再生システム及び電子アルバム作成システムについて説明する。
【００６５】
図７は本実施形態に係る画像記録再生システム及び電子アルバム作成システムの構成を示す図である。以下、図７を用いて本実施形態に係る画像記録再生システム及び電子アルバム作成システムの構成について説明する。なお、作成された電子アルバムの再生を行う部分等、前出の第１実施形態に係る画像記録再生システム及び電子アルバム作成システムと同一の構成部分についての図示及び説明は一部省略する。
【００６６】
本実施形態の画像記録再生システム及び電子アルバム作成システムにおいては、画像記録再生装置２は、地名を表すデータである地名データの入力機能を有している。また、送受信手段１８は、地名抽出部１８ｂ、アルバム化部１８ｄ、及び送受信部１８ｅを有している。ここで、地名抽出部１８ｂとは、地名に関する情報のデータベースである地名データベース１８ｃを参照して、画像記録再生装置２によりもたらされる撮影場所データから、撮影場所の判定を行う構成部である。また、アルバム化部１８ｄは、画像データと楽曲データとを対応付けする構成部であり、対応付けしたデータを電子アルバム部３２に記録する。また、送受信部１８ｅは、データの送受信をインターネット２０と行う構成部である。
【００６７】
なお、ここでは送受信手段１８としてパーソナルコンピューターを想定している。また、上記地名データベース１８ｃ及び電子アルバム部３２は、図７に示すように画像記録再生装置２及び送受信手段１８とは別体にせずに、画像記録再生装置２または送受信手段１８内に設けても勿論よい。
【００６８】
また、データベース検索部４２は、楽曲データ等を格納したデータベースであり、インターネット２０を介して送受信手段１８から送信される地名を表す地名データを基に、対応する候補音楽の楽曲データを検索する。
【００６９】
図８は、本実施形態に係る画像記録再生システム及び電子アルバム作成システムでの、アルバム作成の動作制御を示すフローチャートである。以下、図８のフローチャートを用いて本実施形態に係る画像記録再生システム及び電子アルバム作成システムの動作制御を説明する。
【００７０】
まず、図８のフローチャートにおけるＳ５０は、電子アルバム化する対象の画像データの撮影場所の判定を行うステップである。送受信手段１８の地名抽出部１８ｂが、上記画像データを参照し、当該画像データの撮影を行った撮影場所（地図座標）を判定する。
【００７１】
続いてＳ５１において、地名抽出部１８ｂが地名データベース１８ｃを参照して撮影場所の地名を表す地名データを抽出する。なお、この地名データとしては、この地名抽出部１８ｂは、たとえば「琵琶湖」又は「滋賀県」等のように大まかな地域の地名とする。また、例えば「近江八幡」「五箇荘」「彦根」などと具体的な地名としても勿論よい。
【００７２】
なお、ここでは、地名抽出機能を送受信手段１８に持たせたが、データベース検索部４２に地名抽出機能を持たせても勿論よい。その場合には、撮影場所（地図座標）データをインターネット２０を介してデータベース検索部４２に送信するシステムとなる。また、代表地名の選択も大型コンピューターからなるデータベース検索部４２で行わせる方が、正確な検索が可能となるし、個人で大きなシステムを有する必要もなくなる。
【００７３】
続くＳ５２において、地名抽出部１８ｂが、各地名ごとに当該画像データをグループ化する。次にＳ５３において、Ｓ５２でグループ化された代表的な地名データである代表地名データのみを送受信部１８ｅが、インターネット２０を介してデータベース検索部４２へ送信する。このように代表地名データのみを送信する構成のため、大きな画像データのファイルを送信するときに生じる時間的費用的な無駄を省くことができる。
【００７４】
次に、Ｓ５４においては、Ｓ５３で送信されてきた代表地名データから、データベース検索部４２が、電子アルバム化の候補となる音楽の楽曲データを選択し、その楽曲データを送受信手段１８へ送信する。そして、送受信手段１８の送受信部１８ｅが、データベース検索部４２が送信した候補楽曲の楽曲データを受信する。
【００７５】
続くＳ５５においては、送受信手段１８のアルバム化部１８ｄが、Ｓ５４にて取得した楽曲データと上記Ｓ５２でグループ化された画像データとを対応付けて各画像グループに楽曲を付与する。さらに、このように対応付けされたデータは、アルバム化部１８ｄにより、電子アルバム部３２に記録される。最後に、Ｓ５６において、上記各画像グループに代表地名を表すインデックスを付与する。
【００７６】
上述のような本実施形態に係るシステムで作成されたアルバムは、図９の模式図に示すような音楽と画像の再生が可能となる。つまり、各画像グループと地域的に関連深い音楽の楽曲データが付加されて再生され、再生表示されている画像グループが切り換わるごとに、次に再生表示される画像グループに関する地名インデックスが表示される。
【００７７】
以上説明したように、本発明の第２実施形態によれば、携帯電話又は通信回線を利用して通信されるデータに画像データを含まず、地名データや音楽データのみが送られるため、画像データの送受信を行う場合に比べて通信データ量の少ない効率的な通信となる。
【００７８】
つまり、本実施形態では、小さな通信データ量にも関わらず、撮影した画像データに適切な音楽の楽曲データを容易に対応付けられ、撮影画像再生の際には対応付けられた音楽が再生されるようにした画像記録再生システム及び電子アルバム作成システムを提供することができる。また、本発明を用いて作成した電子アルバムのように、撮影画像の再生時に撮影した画像データに関連の深い音楽の楽曲データが付加されることにより、撮影当時の思い出を感慨深く追想することができる。
【００７９】
以上、本発明の実施形態について説明したが、本発明は上述した実施形態以外にも、本発明の要旨を逸脱しない範囲で種々の変形実施が可能である。
【図面の簡単な説明】
【００８０】
【図１】本発明の第１実施形態に係る画像記録再生システム及び電子アルバム作成システムの構成を示す図である。
【図２】画像記録再生装置(本実施形態においてはデジタルカメラを想定)での撮影制御を示すフローチャートである。
【図３】場所情報が付加された画像データに対し、基地局の対応付け手段が、音声データを対応付けするステップを示したフローチャートである。
【図４】曲名リストによる実際の選択画面の画面表示例を示す図である。
【図５】同じ画像パターンに対して異なる楽曲を付加した、さまざまなバージョンのアルバムを示す図である。
【図６】人物認証技術を利用して行う音楽データ選択のフローチャートである。
【図７】第２実施形態に係る画像記録再生システム及び電子アルバム作成システムの構成を表す図である。
【図８】第２実施形態におけるアルバム作成のフローチャートである。
【図９】第２実施形態に係る画像記録再生システム及び電子アルバム作成システムで作成された電子アルバムの再生状況を表す模式図である。
【符号の説明】
【００８１】
１…制御部、  ２…画像記録再生装置、  ２ａ…操作手段、  ４…撮影手段、  ６…記録手段、  ８…データ関連付け手段、  １０…場所情報入力手段、  １０ａ…場所情報入力操作手段、  １２…表示部、  １４…ＧＰＳ情報、  １６ａ…アンテナ、  １６…受信回路、  １８…送受信手段、  １８ａ…操作手段、  １８ｂ…地名抽出部、  １８ｃ…地名データベース、  ２０…インターネット、  ２２…基地局、  ２４…地名情報抽出手段、  ２６…データベース、  ２８…対応付け手段、  ３０…記録手段、  ３２…電子アルバム部、  ３４…電子アルバムメモリ部、  ３６…画像再生部、  ３８…音声再生部、  ４０ａ…電子アルバム操作手段、  ４０…電子アルバム制御手段、  ４２…データベース検索部。
【図１】
2006135895.tif 000003
【図２】
2006135895.tif 000004
【図３】
2006135895.tif 000005
【図４】
2006135895.tif 000006
【図５】
2006135895.tif 000007
【図６】
2006135895.tif 000008
【図７】
2006135895.tif 000009
【図８】
2006135895.tif 000010
【図９】
2006135895.tif 000011